(57)【要約】ディスクドライブ回路盤（２１２）をディスクドライブの外部の装置に接続する回路盤コネクタ（２１０）は回路盤の一部を形成し、回路盤から延在する回路盤タブ（２２０）を含む。回路盤タブには接触タブ（２３６）が形成されている。回路盤に取り付けられたハウジングは該ハウジングから延在するハウジングタブ（２８０）を含み、前記ハウジングタブは回路盤に対して概ね平行で、かつそれに隣接しており、そのため回路盤タブとハウジングタブとが一緒になって接続タブを形成する。
2005521183.tif 000002
【特許請求の範囲】
【請求項１】
ディスクドライブの外部の装置にディスクドライブ回路盤を接続するためのコネクタにおいて、
前記回路盤の一部を形成し、第一の方向に前記回路盤から延在する少なくとも１個の回路盤タブであって、前記少なくとも１個の回路盤タブに接触タブが形成されている回路盤タブと、
前記回路盤に装着されたハウジングであって、第一の方向に前記ハウジングから延在している少なくとも１個のハウジングタブを含み、少なくとも１個のハウジングタブは少なくとも１個の回路盤タブに対して概ね平行で、それに隣接しており、そのため少なくとも１個の回路盤タブと少なくとも１個のハウジングタブとが一緒になって少なくとも１個の接続タブを形成しているハウジングと、を含むことを特徴とするコネクタ。
【請求項２】
前記少なくとも１個のハウジングタブが少なくとも１個の回路盤タブに向かって面している第一の主要面と、前記の少なくとも１個の回路盤タブから離れる方向に面している第二の主要面とを有し、前記の少なくとも１個のハウジングタブの前記第一の主要面が少なくとも１個の回路盤タブと当接しており、
前記少なくとも１個のハウジングタブから離れる方向に面している前記の少なくとも１個の回路盤タブの表面に接触タブが形成されていることを特徴とする請求項１に記載のコネクタ。
【請求項３】
前記少なくとも１個のハウジングタブの前記の第二の主要面がコネクタをソケット内で固定するために前記装置に接続されたソケットの突起と係合するロッキング用くぼみを画成していることを特徴とする請求項１に記載のコネクタ。
【請求項４】
前記ハウジングが更に、前記少なくとも１個のハウジングタブの縁部に沿って第一の方向に延在し、前記少なくとも１個のハウジングタブに対して概ね直角に延在している電鍵操作用突起を含むことを特徴とする請求項１に記載のコネクタ。
【請求項５】
少なくとも１個の回路盤タブが回路盤の一部を形成し、第一の方向に前記回路盤から延在しており、その上に接触タブが形成されている２個の回路盤タブを含み、
前記の少なくとも１個のハウジングタブが第一の方向に前記ハウジングから延在している２個のハウジングタブを含み、
前記ハウジングが更に第二のキー止め突起を含み、前記第一のキー止め突起は２個のハウジングタブの中の第一のハウジングタブの縁部に沿って第一の方向に延在し、第二のキー止め突起は２個のハウジングタブの中の第二のハウジングタブの縁部に沿って第一の方向に延在し、かつ第二のハウジングタブに対して概ね直角に延在していることを特徴とする請求項４に記載のコネクタ。
【請求項６】
回転可能なディスクと、ディスクドライブ回路盤と、前記回路盤を前記ディスクドライブの外部の個別の装置に接続するためのコネクタとを含むディスクドライブにおいて、前記コネクタが、
前記回路盤の一部を形成し、前記回路盤から第一の方向に延在する概ね長方形の回路盤タブであって、その上に接触パッドを形成している回路盤タブと、
前記回路盤に取り付けられたハウジングであって、第一の方向に前記ハウジングから延在するハウジングタブを含み、前記ハウジングタブと前記回路盤タブとが一緒になって接続タブを形成するように前記ハウジングタブが前記回路盤に対して概ね平行で、かつそれに当接していることを特徴とするディスクドライブ。
【請求項７】
回路盤の一部を形成し、回路盤から第一の方向に延在している第二の概ね長方形の回路盤タブであって、その上に接触パッドを形成している回路盤タブを更に含み、前記ハウジングが更に、第一の方向に前記ハウジングから延在している第二のハウジングタブを含み、前記第二のハウジングタブが第二の回路盤タブに対して概ね平行であり、かつ当接しており、そのため前記第二のハウジングタブと第二の回路盤タブとが一緒になって第二の接続タブを形成することを特徴とする請求項６に記載のディスクドライブ。
【請求項８】
前記ハウジングが更に、前記第一のハウジングタブの縁部に沿って第一の方向にハウジングから延在し、前記第一のハウジングタブに対して概ね直角の第一の電鍵操作用突起を含み、前記ハウジングは更に、第二の回路盤のタブの縁部に対して概ね直角で、第二のハウジングタブの縁部に沿って第一の方向に延在する第二の電鍵操作用突起を含むことを特徴とする請求項７に記載のディスクドライブ。
【請求項９】
前記第一の回路盤タブがハウジングによって画成された第一のウインドウを貫通しており、第二の回路盤タブがハウジングによって画成された第二のウインドウを貫通していることを特徴とする請求項７に記載のディスクドライブ。
【請求項１０】
前記第一のハウジングタブの第二の主要面が第一のソケットの突起と係合するための第一のロッキングくぼみを有し、前記第二のハウジングタブの第二の主要面が第二のソケットの突起と係合するための第二のロッキング用くぼみを画成していることを特徴とする請求項７に記載のディスクドライブ。
【発明の詳細な説明】
【技術分野】
【０００１】
（関連特許出願）
本願は２００１年７月２日に出願され、「カードエッジ直列ＡＴＡインタエース」（ＣＡＲＤ  ＥＤＧＥ  ＳＥＲＩＡＬ  ＡＴＡ  ＩＮＴＥＲＦＡＣＥ）という名称の米国仮特許出願第６０／３０２，５１７号に対する優先権を主張するものである。
本願は一般に記憶装置、特に記憶装置のためのプリント回路盤コネクタに関するものである。
【背景技術】
【０００２】
データは、典型的にはホストコンピュータと記憶装置との間で高速のデータ転送を促進するバッファを含むインタフェースを介して、ホストコンピュータと例えばディスクドライブのような記憶装置との間で転送される。記憶装置に書き込んだり、あるいはそこから読み出すべきデータはこのようにホストコンピュータと記憶装置のインタフェースとの間を、およびインタフェースと読み取り／書き込みチャンネルとの間を通される。一般に、記憶装置のインタフェースはデータの伝送を調整し、記憶装置とホストコンピュータとの間でデータの交換を管理するハードウエアおよび（または）ソフトウエアを含む。例えば米国規格協会（ＡＮＳＩ）のような規格委員会は共通の規格を遵守しているいずれかの周辺装置が互換可能に使用できるようにするインタフェースプロトコルの採用を監視している。
【０００３】
各種タイプの記憶装置インタフェースの規格が存在しているものの、先進技術アタッチメント（Ａｄｖａｎｃｅｄ  Ｔｅｃｈｎｏｌｏｇｙ  Ａｔｔａｃｈｍｅｎｔ−ＡＴＡ）インタフェース規格がホストコンピュータと、例えばディスクドライブのような記憶装置との間のインタフェースに対して広く使用されている。ＡＴＡインタフェースは記憶装置とホストコンピュータとの間のインタフェースに対する公式のＡＮＳＩ基準呼称である。一般に、ＡＴＡ規格仕様はホストコンピュ−タのマザーボードと記憶装置における記憶装置制御装置との間のパワーおよびデータ信号を扱っている。
【０００４】
ディスクドライブを１個以上のコンピュータに接続する場合、ＡＴＡインタフェース規格は相互接続仕様を導入している。以前のＡＴＡ規格は並列ＡＴＡ（ＰＡＴＡ）相互接続仕様として知られていた。ＰＡＴＡ相互接続仕様は元来１９８０年代に導入され、デスクトップおよび移動コンピュータのための圧倒的な内部記憶相互接続であった。それは例えばハードドライブ、デジタルビデオディスクドライブおよびコンパクトなディスクドライブのような記憶装置をマザーボードに接続するために使用されてきた。しかしながら、ＰＡＴＡは進歩を続けている記憶装置やホストコンピュータの要求に対応するために性能を向上させ続ける能力を阻害する多数の制約を有している。
【発明の開示】
【発明が解決しようとする課題】
【０００５】
ＰＡＴＡ相互接続仕様の制約は、直列化された、すなわち直列ＡＴＡとして知られている新規なＡＴＡ仕様の開発をもたらした。直列化されたＡＴＡ仕様は記憶装置と接続ケーブルあるいはホストコンピュータとの間の接続に対する細かい幾何学的寸法を含んでいる。この仕様は、各々異なる寸法を備えた、装置信号プラグコネクタおよび装置パワープラグコネクタを必要としている。装置プラグコネクタは装置プラグコネクタから延在しているタブに形成された接触パッドを有している。装置プラグコネクタは接触パッドから記憶装置の回路盤まで延在しているリードを更に含んでいる。装置プラグコネクタは記憶装置回路盤に装着されることがよくあり、装置プラグコネクタからのリードは回路盤の導電性の要素にはんだ付けされる。従って、装置プラグコネクタは接触パッドおよびリードを内臓するようになった。
【０００６】
接触パッドおよびリードは装置プラグコネクタの製造コストを増大させる。更に、装置プラグコネクタの各リードを回路盤に接続させる手順が製造コストを増大させる。例えば、回路盤とコネクタとは、それらが相互にはんだ付けされるまではんだ接点の位置を保持するのに製造の間慎重に取り扱う必要がある。従って、例えば直列化されたＡＴＡ規格のような標準的な仕様に一致しうる改良された回路盤エッジコネクタが必要とされる。
【課題を解決するための手段】
【０００７】
このような背景の下で本発明は開発されたのである。本発明の実施例はディスクドライブ回路盤をディスクドライブの外部の装置に接続するためのコネクタとして要約することができる。コネクタは回路盤の一部を形成し、そこから延在している回路盤タブを含む。接触タブが回路盤タブに形成されている。回路盤に取り付けられたハウジングは該ハウジングから延在するハウジングタブであって、回路盤タブに対して概ね平行であり、かつそれに隣接しており、そのため回路盤タブとハウジングタブとが一緒になって接続タブを形成しているハウジングタブを含む。
【０００８】
代替的に、本発明の実施例は回転可能なディスクと、ディスクドライブ回路盤と、回路盤をディスクドライブの外部の装置に接続するためのコネクタとを含むディスクドライブとして要約することができる。コネクタは、回路盤の一部を形成し、そこから延在している概ね長方形の回路盤タブを含む。接触タブが回路盤タブに形成されている。コネクタはまた、回路盤に取り付けられたハウジングを含み、該ハウジングはそこから第一の方向に延在しているハウジングタブを含み、該ハウジングタブは回路盤タブに対して平行であり、かつそれに当接しており、そのためハウジングタブと回路盤タブとが一緒になって接続タブを形成している。
【０００９】
更に別の言い方をすれば、本発明の実施例はスピンドルモータにおいて回転するよう装着されたディスクを有するディスクドライブである。ディスクドライブはプリント回路盤と、該回路盤をディスクドライブの外部の装置に電気的および機械的に接続する手段とを含む。
【００１０】
これら、および各種のその他の特徴並びに本発明の特徴である利点は以下の詳細説明を読み、関連の図面を検討することによって明らかとなる。
【実施例】
【００１１】
本発明の好適実施例によって構成されたディスクドライブ１００が図１に示されている。ディスクドライブ１００は基部１０２を含み、該基部には前記ディスクドライブ１００の各種の要素が装着されている。部分的に破断して示す上部カバー１０４は前記基部１０２と協働して従来の方法で前記ディスクドライブのための内側のシールされた環境を形成する。前記要素は一定の高速度で１個以上のディスク１０８を回転させるスピンドルモータ１０６を含む。アクチュエータ組立体１１０を使用することによってディスク１０８のトラックに情報が書き込まれたり、あるいはそこから読み出される。前記アクチュエータ組立体１１０は探索作動の間ディスク１０８の近傍に位置したベアリングシャフト組立体１１２の周りで回転する。アクチュエータ組立体１１０は複数のアクチュエータアーム１１４を含み、該アクチュエータアームは１個以上の可撓体１１６を各アクチュエータアームから延在させてディスク１０８に向かって延在している。各可撓体１１６の遠位端にはヘッド１１８が装着されており、該ヘッド１１８は関連するディスク１０８の対応する面の上方で近接し該ヘッド１１８を浮遊できるようにさせるエアベアリングスライダを含む。
【００１２】
探索作動の間、ヘッド１１８のトラック位置は、典型的にはアクチュエータ組立体１１０に装着されたコイル１２６を含むボイスコイルモータ１２４並びに前記コイル１２６が浸漬されている磁界を設定する１個以上の永久磁石１２８によって制御される。コイル１２６に電流を制御して供給することによって永久磁石１２８とコイル１２６との間の磁気相互作用を発生させ、そのためコイル１２６は周知のローレンツの関係に従って運動する。コイル１２６が運動するにつれて、アクチュエータ組立体１１０はベアリングシャフト組立体１１２の周りで枢動し、ヘッド１１８はディスク１０８の面を横切って運動するようにされる。
【００１３】
可撓組立体１３０は、作動の間アクチュエータ組立体１１０が枢動できるようにしながら、アクチュエータ組立体１１０のための必要な電気接続通路を提供する。可撓組立体はヘッドワイヤ（図示せず）が接続されている可撓組立体回路盤１３２を含む。ヘッドワイヤはアクチュエータアーム１１４と可撓体１１６とに沿ってヘッド１１８まで通されている。可撓組立体回路盤１３２は、書き込み作動の間ヘッド１１８に供給される書き込み電流を制御する回路と、読み取り作動の間ヘッド１１８によって発生する読み取り信号を増幅する前置増幅器とを含む。可撓組立体は基部のデッキ１０２を介して、ディスクドライブ１００の底側に装着されたディスクドライブプリント回路盤（図２から図７までを参照）に通信するための可撓ブラケット１３４において終わっている。
【００１４】
図２および図３はディスクドライブプリント回路盤２１２をディスクドライブ１００の外部の装置に接続するための装置プラグコネクタ２１０を示す。コネクタ２１０は、回路盤２１２の一体部分であり、好ましくは形状が概ね長方形であり、第一の方向２２２に回路盤２１２から延在している第一の回路盤タブすなわちパワータブ２２０を含む。第一の回路盤タブ２２０は第一の主要面２２４（図６参照）と反対側の第二の主要面２２６とを含むことが好ましい。第一の主要面２２４（図６参照）と第二の主要面２２６とは第一の方向２２２に延在する第一の縁部２３０と、これも第一の方向２２２に延在する反対側の第二の縁部２３２とによって接合されている。第三の縁部２３４は回路盤２１２の本体から離れたところにあり、第二の縁部２３２の終端から第一の縁部２３４の終端まで延在し第一の回路盤タブ２２０の終端を形成する。第三の縁部２３４は面取りするか、あるいは丸みをつけることが好ましい。第一の回路盤タブ２２０は更に、回路盤２１２を介してディスクドライブにパワーを供給するための導電性接触パッド２３６を含む。
【００１５】
コネクタ２１０はまた、好ましくは概ね長方形であって、第一の方向２２２に回路盤２１２から延在する第二の回路盤タブすなわち信号タブ２４０を含むことが好ましい。第二の回路盤２４０は、双方共概ね平坦で、かつ長方形である第一の主要面２４４（図６を参照）および反対側の主要面２４６とを含むことが好ましい。前記第一の主要面２４４（図６を参照）と第二の主要面２４６とは、第一の方向に延在している第一の縁部２５０と、これも第一の方向に延在している反対側の第二の縁部２５２によって接合されている。第二の回路盤タブ２４０の第一の縁部２５０と第一の回路盤２２０の第一の縁部２３０とは相互に向かって面しており、一方第二の回路盤２４０の第二の縁部２５２と第一の回路盤タブ２２０の第二の縁部２３２とは相互に離れる方向に面している。第三の縁部２５４が回路盤２１２の本体の遠い側にあり、第二の縁部２５２の終端から第一の縁部２５０の終端まで延在していて第二の回路盤タブ２４０の終端を形成している。第二の回路盤２４０は更に、外部の装置とディスクドライブ１００との間で回路盤２１２を介して信号を導くための導電性の接触パッド２５６を含む。
【００１６】
回路盤２１２は第一の回路盤タブ２２０の第一の縁部２３０と第二の回路盤タブ２４０の第一の縁部２５０との間で空隙２６０を画成している。回路盤２１２もまた、第一の回路盤タブ２２０の第二の縁部２３２の近傍で空隙２６２を、第二の回路盤タブ２４０の第二の縁部２５２の近傍で空隙２６４を画成している。
【００１７】
引き続き図２および図３を参照すれば、コネクタ２１０もまた、ハウジング２７０を含む。前記ハウジング２７０は、第一の回路盤タブ２２０が後壁２７２を貫通するように第一の回路盤タブ２２０を受け入れる第一のスロット２７４を画成している概ね長方形の後壁２７２を含むことが好ましい。第二の回路盤タブ２４０もまた後壁２７２を貫通するように後壁２７２における第二のスロット２７６が第二の回路盤タブ２４０を受け入れる。第一のスロット２７４と第二のスロット２７６とは双方とも概ね長方形のウインドウであることが好ましく、このことはコネクタ２１０を安定させるために、後壁２７２が図示のように回路盤タブ２２０，２４０を囲むことを意味する。しかしながら、スロット２７４，２７６の一方あるいは双方は少なくとも一方の側で部分的に、あるいは完全に開放するようにしうる。
【００１８】
ハウジング２７０は更に、概ね長方形であることが好ましく、第一の方向２２２に第一のスロット２７４に沿って後壁２７２から延在する第一のハウジングタブ２８０を含む。第一のハウジングタブ２８０は、第一の回路盤タブ２２０に向かって面し、かつ好ましくは該タブ２２０の主要面２２４（図６を参照）に当接することが好ましい第一の主要面２８４を含む。第一のハウジングタブ２８０はまた、第一の主要面２８４とは反対側にある第二の主要面２８６（図６参照）も含む。第一の主要面２８４と第二の主要面２８６とは双方とも概ね平坦で、かつ長方形であることが好ましい。第一の主要面２８４と第二の主要面２８６とは第一の方向に延在する第一の縁部２９０と、これも第一の方向２２２に延在する反対側の第二の縁部２９２とによって接合されている。第一のハウジングタブ２８０の第一の縁部２９０と第一の回路盤タブ２２０の第一の縁部２３０とは相互に対して隣接しており、一方第一のハウジングタブ２８０の第二の縁部２９２と第一の回路盤タブ２２０の第二の縁部２３２とは相互に対して隣接している。第一のハウジングタブ２８０の第三の縁部２９４はハウジング２７０の後壁２７２の末端にあり、第二の縁部２９２の終端から第一の縁部２９０の終端まで延在して第一のハウジングタブ２８０の終端を形成している。第三の縁部２９４は面取りするか、あるいは丸みをつけることが好ましい。第一のハウジングタブ２８０の第三の縁部２９４は第一の回路盤タブ２２０の第三の縁部２３４に隣接していることが好ましい。
【００１９】
ハウジング２７０はまた、後壁２７２から第一の方向２２２に延在し、かつ第一のハウジングタブ２８０に対して直角の方向に第一のハウジングタブ２８０の第一の縁部２９０から延在する第一の電鍵操作用突起２９８を含むことが好ましい。このように、第一の電鍵操作用突起２９８と第一のハウジングタブ２８０とは一緒になってハウジング２７０の後壁２７２からのＬ字形突起を形成する。第一の回路盤タブ２２０と第一のハウジングタブ２８０とが一緒になって第一の接続タブ２９９（図３参照）を形成するように第一の回路盤タブ２２０は第一のハウジングタブ２８０に沿って第一の電鍵操作用突起２９８から延在している。第一のハウジングタブ２８０は第二の主要面２８６（図６参照）においてロッキング用くぼみを画成することが好ましい。ロッキング用くぼみ２９６は第一のハウジングタブ２８０を完全に貫通するか、あるいは第一のハウジングタブ２８０の厚さに応じて、第一のハウジングタブ２８０を部分的にのみ延在するようにしてもよい。ロッキング用くぼみ２９６は、以下詳細に説明するように、対応するソケットコネクタからロック用突起を受け入れる。
【００２０】
依然引き続き図２および図３を参照すれば、ハウジング２７０はまた、好ましくは長方形で、第一の方向２２２に第二のスリット２７６に沿って後壁２７２から延在している第二のハウジングタブ３２０を含むことが好ましい。第二のハウジングタブ３２０は、第二の回路盤タブ２４０の第一の主要面２４４（図６参照）に向かって面し、かつ好ましくはそれに当接している第一の主要面３２４を含むことが好ましい。第二のハウジングタブ３２０はまた、前記第一の主要面３２４とは反対側にある第二の主要面３２６（図６参照）を含むことが好ましい。前記第一の主要面３２４と第二の主要面３２６（図６参照）とは双方とも概ね平坦で、かつ長方形であることが好ましい。第一の主要面３２４と第二の主要面３２６（図６参照）とは第一の方向２２２に延在している第一の縁部３３０と、これも第一の方向に延在している反対側の第二の縁部３３２とによって接合されている。第二のハウジングタブ３２０と第二の回路盤タブ２４０の第一の縁部２５０とは相互に対して隣接しており、一方第二のハウジングタブ３２０の第二の縁部３３２と第二の回路盤タブ２４０の第二の縁部２５２とは相互に対して隣接している。第二のハウジングタブ３２０の第三の縁部３３４はハウジング２７０の後壁２７２から遠いところにあり、第二の縁部３３２の終端から第一の縁部３３０の終端まで延在して第二のハウジングタブ３２０の終端を形成している。第三の縁部３３４は面取りするか丸みをつけることが好ましい。第三の縁部３３４は第二の回路盤タブ２４０の第三の縁部２５４に隣接している。
【００２１】
ハウジング２７０は更に、後壁２７２から第一の方向２２２に延在している第二のキー止め突起３３８を含むことが好ましい。第二のキー止め突起３３８また、第二のハウジングタブ３２０に対して直角の方向に第二のハウジングタブ３２０の第一の縁部３３０から延在することによって第二の電鍵操作用突起３３８と第二のハウジングタブ３２０とは一緒になってハウジング２７０の後壁２７２からのＬ字形の突起を形成する。第二の回路盤タブ２４０は第二のハウジングタブ３２０に沿って第二の電鍵操作用突起３３８から延在することによって第二の回路盤タブ２４０と第二のハウジングタブ３２０とが一緒になって第二の接続タブ３３９（図３）を形成する。第二のハウジングタブ３２０は第二の主要面３２６において（図６参照）ロッキング用くぼみ３３６を画成することが好ましい。ロッキング用くぼみ３３６は第二のハウジングタブ３２０を貫通するか、あるいは第二のハウジングタブ３２０を通して極部分的に延在しうる。ロッキング用くぼみ３３６は以下更に詳細に説明されるように対応するソケットコネクタからロッキング用タブを受け入れる。
【００２２】
第一の全体的にＵ字形である部分３４０が第一のハウジング２８０に近接している後壁２７２の端から第一の方向２２２に延在している。第一のＵ字形部分３４０は、第一のハウジングタブ２８０に向かって開放している第一のチャンネル３４２を画成している。第一のＵ字形部分３４０は、第一のチャンネル３４２に向かって内方に面取りするか、あるいは丸みをつけていることが好ましいＵ字形縁部３４３で終わっている。第二の全体的にＵ字形の部分３４４が、第二のハウジングタブ３２０に近接している後壁２７２の端から第一の方向に延在している。第二のＵ字形部分３４４は第二のハウジングタブ３２０に向かって開放している第二のチャンネル３４６を画成している。第二のＵ字形部分３４４もまた、第二のチャンネル３４６に向かって内方に面取りするか、あるいは丸みをつけることが好ましい全体的にＵ字形の縁部３４７で終わっている。
【００２３】
図２および図３に示すハウジング２７０は更に、回路盤２１２に沿って、第一の方向２２２とは反対方向である第二の方向３５１に後壁２７２から延在しているスナップレバー３５０を含んでいる。各スナップレバー３５０は、回路盤２１２における対応するくぼみあるいは孔３５４と係合する突起３５２を含む。前記突起３５２とくぼみ３５４とは円形であることが好ましいが、突起３５２がくぼみ３５４にしっかりと係合できる限り種々形状のいずれかでよい。
【００２４】
コネクタ２１０は前述したように、２個の接続タブ２９９，３３９（図３）を含むことが好ましいが、本発明はまた、１個のみの接続タブあるいは２個以上の接続タブの使用についても包含している。更に、好適実施例においては、コネクタ２１０は、当該技術分野の専門家には周知である直列化したＡＴＡ規格に対する寸法要件を満足させるが、一方前記コネクタ２１０の寸法は特定の状況に応じて変更可能である。
【００２５】
さて図４を参照すれば、インタフェース３５６はコネクタ２１０を含み、更に、例えばホストコンピュータのようなディスクドライブ１００の外部にある装置に電気的に接続される第一のソケットコネクタ３６０を含む。第一のソケットコネクタ３６０はハウジング３６２を含み、該ハウジングは、第一の接続タブ２９９（図３参照）を受け入れるタブスロット３６６と、第一のキー止め突起２９８を受け入れるようにタブスロット３６６に対して直角に延在するキー止めスロット３６８とを含むことが好ましい対応するくぼみ３６４を画成する。このように、対応するくぼみ３６４は第一のキー止め突起２９８と第一の接続タブ２９９（図３参照）とによって形成されたＬ字形突起と適合するＬ字形くぼみを形成している。第一のソケットコネクタ３６０はまた、第一のハウジングタブ２８０のロッキング用くぼみ２９６（図６参照）と係合するようにタブスロット３６６中へ延在したロッキング用突起も含む。第一のソケットコネクタ３６０はまた、キー止め用スロット３６８とは反対のハウジング３６２の側から延在している突起すなわち案内部材３７０を含むことも好ましい。案内部材３７０は面取りした、あるいは丸みをつけた面を含み、かつ第一のチャンネル３４２（図３を参照）内に装嵌することが好ましい。
【００２６】
インタフェース３５６は更に、例えばホストコンピュータのようなディスクドライブ１００の外部の装置に電気的に接続されている第二のソケットコネクタ３８０を含む。第二のソケットコネクタ３８０は対応するくぼみ３８４を画成しているハウジング３８２を含む。対応するくぼみ３８４は第二の接続タブ３３９を受け入れるタブスロット３８６と第二のキー止め突起３３８を受け入れるようタブスロット３８６に対して直角に延在するキー止めスロット３８８とを含む。このように、対応するキー止めくぼみ３８４は第二のキー止め突起３３８と第二の接続タブ３３９とによって形成されたＬ字形突起に対応するＬ字形のくぼみである。第二のソケットコネクタ３８０は第二のハウジングタブ３２０のロッキング用くぼみ３３６（図６参照）と係合するようタブスロット３８６中へ延在しているロッキング用突起（図示せず）を含む。第二のソケットコネクタ３８０もキー止めスロット３８８からは遠隔のハウジング３８２の側から延在している突起すなわち案内部材３９０を含む。案内部材３９０は面取りした、あるいは丸みをつけた面を含み、第二のチャンネル３４６内に装嵌することが好ましい。
【００２７】
ソケットコネクタ３６０，３８０は既知の製造方法に従って構成してよく、あるいは標準的なソケットコネクタを使用することができる。ソケットコネクタは図４に示すように個別のコネクタとしうるし、あるいは組み合わせて双方の接続タブに対応する１個の一体のソケットコネクタを形成することも可能である。更に、ソケットコネクタは例えばケーブルによるように、外部装置に対して遠隔接続することが可能であり、あるいは（例えばドライブベイの裏面に装着された）外部装置に直接装着されているホストソケットコネクタにしうる。また、本発明は、一個のみのソケットコネクタを含む、あるいは二個以上のソケットコネクタを含む実施例において使用することができる。
【００２８】
もしもホストソケットコネクタ３６０，３８０がドライブベイの裏面に装着されたとすれば、コネクタ２１０の性能に悪影響を与えることなくハウジング２７０の数種の特徴部を省略することができる。例えば、ロッキング用くぼみ２９６，３３６は、そのような特徴部がたとえないとしても裏面にあるソケットコネクタに接続された状態でドライブが残るため、省くことができる。また、電鍵操作用突起２９８，３３８はそのような特徴部がなくてもドライブはドライブベイに対して適正な方向に指向しうるので、省くことが可能である。
【００２９】
もしもドライブ１００が単にソケットコネクタをケーブルに接続した状態で使用されたとすれば、使用者は目で見て対応するソケットコネクタ３６０，３８０と係合するようコネクタ２１０を導くことができるので全体的にＵ字形の部分３４０，３４４は省略することができる。しかしながら、裏面を使用した状態においては、Ｕ字形部分３４０，３４４は目で見なくてもコネクタ２１０を対応するソケットコネクタ３６０，３８０と係合しやすくする。それにもかかわらず、前述し、図面に図示した実施例が好適である理由はドライブ１００が裏面の平面を利用したような環境、あるいはケーブルにより接続するような環境で使用されるとしても最適な性能を提供するからである。
【００３０】
本発明の好適実施例において、インタフェース３５６は、当該技術分野の専門家には既知である直列化したＡＴＡ規格の寸法上の要件を満足させる。例えば、好適実施例において、第一の接続タブ２９９は約１．２３ミリメートルの深さ（すなわち、第一の回路盤タブ２２０の第二の主要面と第一のハウジングタブ２８０の第二の主要面２８６との間の距離）を有している。もしも回路盤２１２が特定の厚さを有しているとすれば、第一のハウジングタブ２８０の厚さは、第一の回路盤タブ２２０と第一のハウジングタブ２８０とが共に結果的に得られた接続タブ２２９の所望の厚さを提供するように選択することが可能である。対応する第一のソケットコネクタ３６０のタブスロット３６６は接続タブ２９９の厚さよりも僅かに大きい厚さを有することが好ましい。好適実施例において、タブスロット３６６は約１．４ミリメートルの厚さを有している。第二の接続タブ３３９は約１．２３ミリメートルの厚さを有し、第二のソケットコネクタ３８０は約１．４ミリメートルの厚さを有している。
【００３１】
コネクタ２１０を製造する場合、回路盤２１２は周知の方法によって製造することができる。そのような製造の間、例えばタブ、空隙、くぼみ、および接触パッドのような、本明細書で説明する形成物は通常の製造工程の一体部分として回路盤２１２に形成されることが好ましい。ハウジング２７０は硬くて安価な材料から形成されることが好ましい。好適実施例において、ハウジング２７０は、例えばガラス繊維強化熱可塑性材料のような繊維強化熱可塑性材料から成形されている。コネクタ２１０の製造工程はハウジング２７０に接触パッドあるいはその他の電気リードを形成する必要がないため簡素化される。
【００３２】
図２から図４までを参照すれば、ハウジング２７０は、第一の回路盤タブ２２０と第二の回路盤タブ２４０とがそれぞれ第一のスロット２７４と第二のスロット２７６とを通して摺動するようにハウジング２７０を第一の方向２２２とは反対の方向で回路盤上に滑らせることによって回路盤２１２に固定される。回路盤タブ２２０、２４０の面取りした第三の縁部２３４，２５４がそれぞれ回路盤タブ２２０，２４０をスロット２７４，２７６中へ案内しやすくしている。一旦、ハウジング２７０が回路盤２１２に適正に位置されると、スナップレバー３５０の突起３５２が回路盤２１２における対応するくぼみ３５４と係合するように嵌り、ハウジング２７０を回路盤２１２に固定する。このようにハウジング２７０を回路盤２１２に容易に装着できることは、ハウジングからのはんだ接点が製造の間回路盤からのはんだ接点と接合されることを要する従来技術によるコネクタハウジングとは区別されるところである。
【００３３】
ハウジング２７０を回路盤２１２に固定すると、ソケットコネクタ３６０，３８０は回路盤２１２に電気的および機械的に容易に取り付けられインタフェース３５６を形成することが可能である。第一のソケットコネクタ３６０は案内部材３７０を第一のチャンネル３４２内で摺動させることによって摺動して係合するようになり、第一の接続タブ２９９と第一のキー止め突起２９８とが対応するくぼみ３６４のそれぞれタブスロット３６６およびキー止めスロット３６８中へ摺動する。第一の回路盤タブ２２０の面取りした第三の縁部２３４と、第一のハウジングタブ２８０の面取りした第三の縁部２９４と、対応するくぼみ３６４の面取りした入口と、案内部材３７０の面取りした表面と、第一のＵ字形部分３４０の面取りした縁部とは全て第一の回路盤タブ２２０およびハウジング２７０との適正な対応関係となるよう第一のソケットコネクタ３６０を案内し易くする。一旦、第一のソケットコネクタ３６０が第一の回路盤タブ２２０およびハウジング２７０に対して適正に位置されると、第一のソケットコネクタ３６０からの突起が第一のハウジングタブ２８０に形成されたロッキング用くぼみ２９６と係合してソケットコネクタ３６０をハウジング２７０に、従って回路盤２１２に対して固定する。第一の回路盤タブ２２０の接触パッド２３６は第一のソケットコネクタ３６０の導電性要素と接触し、それによって接触パッド２３６を、従ってディスクドライブ１００を、例えばホストコンピュータのような外部の装置に対して電気的に接続する。
【００３４】
第二のソケットコネクタ３８０は、第二の接続タブ３３９および第二のキー止め突起３３８とが対応するくぼみ３８４のそれぞれタブスロット３８６およびキー止めスロット３８８中へ滑り込むように第二のチャンネル３４６内で案内部材３９０を滑らせることによって同様に摺動して係合するようになる。第二の回路盤タブ２４０の面取りした第三の縁部２５４と、第二のハウジングタブ３２０の面取りした第三の縁部と、案内部材３９０の面取りした表面と、第二のＵ字形部分３４４の面取りした縁部とは全て第二のソケットコネクタ３８０が第二の回路盤タブ２４０およびハウジング２７０との適正な対応関係となるように第二のソケットコネクタ３８０を案内し易くする。一旦、第二のソケットコネクタ３８０が第二の回路盤タブ２４０とハウジング２７０とに対して適正に位置決めされると、第二のソケットコネクタ３８０からの突起が第二のハウジングタブ３２０に形成されたロッキングくぼみ３３６と係合してソケットコネクタ３８０をハウジング２７０に、従って回路盤２１２に固定する。第二の回路盤タブ２４０上の接触パッドは第二のソケットコネクタ３８０の導電性要素と接触し、それによって接触パッド２５６を、従ってディスクドライブ１００を例えばホストコンピュータのような外部の装置に電気的に接続させる。
【００３５】
図５から図７までは、ハウジング２７０と回路盤２１２との間の代替的な接続を実施している以外は図２から図４までに示す実施例と類似である本発明の代替的な実施例を示す。図５から図７までを参照すれば、同様の特徴部に対しては同じ参照数字が使用されている。図２から図４までに示す実施例とは相違する特徴部のみについて以下説明する。さて図５を参照すれば、一体のスナップレバー４１０が第二の方向３５１（図２参照）において各Ｕ字形部分３４０，３４４から延在している。各スナップレバー４１０は回路盤２１２と概ね同じ平面において運動し、ハウジング２７０から離れる方向に延在する突起４１２をその終端において含んでいる。回路盤２１２は、回路盤タブ２２０，２４０の両側にある空隙２６２，２６４に向かって面している回路盤２１２の縁部において両側のくぼみを画成している。このように、ハウジング２７０が適正に前述のように回路盤２１２に位置されると、スナップレバー４１０は突起４１２を弾圧してくぼみ４１４と係合させてハウジング２７０を回路盤２１２に対して固定する。
【００３６】
さて、図６および図７を参照すれば、ハウジング２７０は反対方向にＵ字形部分３４０，３４４から延在している一体の耳部５１０を含む。各耳部５１０は回路盤２１２における対応する孔５１４と共軸線関係である孔５１２を画成することが好ましい。ハウジング２７０が前述のように回路盤２１２に適正に位置されると、対応する穴５１２と５１４とが整合する。好適実施例においては、孔５１２，５１４もディスクドライブ１００の基部にある受け入れ孔（図示せず）とも整合する。例えばねじのような固定具を次に孔５１２，５１４を通して基部１０２の受け入れ孔中へ固定し、ハウジング２７０と回路盤２１２とを基部１０２に対して固定する。代替的に、固定具５１６は孔５１２のみを貫通し、基部１０２中へ延在しない。
【００３７】
示された実施例は直列化したＡＴＡ規格を好適に満足させる一方、本発明はまたその他の回路盤エッジコネクタを簡素化することができる。回路盤エッジコネクタ２１０は個別に装着されたコネクタがソケットと適合する方法に似た要領でソケット３６０または３８０に適合することができる。しかしながら、本発明のこの実施例は個別に装着されたコネクタあるいは電気的接続手段を備えたハウジングを必要とはしない。
【００３８】
各ハウジングタブ２８０あるいは３２０の厚さはそれぞれ結果的に得られる接続タブ２９９あるいは３３９の所望の厚さを提供するように選択可能であるので、コネクタ２１０は従来のインタフェースコネクタに製造コストを低減するという利点を提供する。ハウジング２７０は接触パッド、電気リード、あるいははんだ接点を組み込む必要がないのでコネクタ２１０の製造コストは低減する。また、接触パッド２３６および２５６は直接回路盤２１２に形成されるので、ハウジング２７０と回路盤２１２との間の電気的な接続は何ら必要とされない。このように、コネクタ２１０は製造している間従来技術によるコネクタのように慎重に取り扱う必要はない。ハウジング２７０と回路盤２１２との間に電気的な接続を保持しておく必要がないので、通常の使用の間はコネクタ２１０はまた更に頑丈にしうる。
【００３９】
本発明の実施例はディスクドライブ回路盤をディスクドライブ（例えば、１００）の外部の装置にディスクドライブ回路盤（例えば、２１２）を接続するためのコネクタ（例えば、２１０）であると要約しうる。コネクタ（例えば、２１０）は回路盤（例えば、２１２）の一部を形成し、回路盤（例えば、２１２）から第一の方向（例えば、２２２）に延在している回路盤タブ（例えば、２２０あるいは２４０）を含む。接触パッド（例えば、２３６あるいは２５６）が回路盤タブ（例えば、２２０あるいは２４０）に形成されている。コネクタ（例えば、２１０）はまた、回路盤（例えば、２１２）に取り付けられたハウジング（例えば、２７０）を含む。ハウジング（例えば、２７０）は第一の方向（例えば、２２２）にハウジング（例えば、２７０）から延在しているハウジングタブ（例えば、２８０あるいは３２０）を含み、前記ハウジングタブ（例えば、２８０あるいは３２０）は回路盤タブ（例えば、２２０あるいは２４０）に対して概ね平行で、かつ隣接しており、そのため回路盤タブ（例えば、２２０あるいは２４０）とハウジングタブ（例えば、２８０あるいは３２０）とは一緒になって接続タブ（例えば、２９９あるいは３３９）を形成する。
【００４０】
ハウジングタブ（例えば、２８０あるいは３２０）は回路盤タブ（例えば、２２０あるいは２４０）に向かって面している第一の主要面（例えば、２８４あるいは３２４）と、回路盤タブ（例えば、２２０あるいは２４０）から離れる方向に面している第二の主要面とを有することが好ましく、ハウジングタブ（例えば、２８０あるいは３２０）の前記第一の主要面（例えば、２８４あるいは３２４）は回路盤タブ（例えば、２２０あるいは２４０）と当接することが好ましい。ハウジングタブ（例えば、２８０あるいは３２０）の第二の主要面（例えば、２８６あるいは３２６）はソケット内（例えば、３６０あるいは３８０）でコネクタ（例えば、２１０）を固定するための装置に接続されている突起と係合（例えば、３６０あるいは３８０）するためのロッキング用くぼみ（例えば、２９６あるいは３３６）を画成することが好ましい。
【００４１】
ハウジング（例えば、２７０）は更に、ハウジングタブ（例えば、２８０あるいは３２０）の縁部（例えば、２９０あるいは２３０）に沿って第一の方向（例えば、２２２）に延在し、かつハウジングタブ（例えば、２８０あるいは３２０）に対して概ね直角に延在するキー止め突起（例えば、２９８あるいは３３８）を含みうる。更に、コネクタは回路盤（例えば、２１２）の一部形成し、第一の方向（例えば、２２２）に回路盤から延在している第二の回路盤タブ（例えば、２２０あるいは２４０）含むことが可能で、前記第二の回路盤タブ（例えば、２２０あるいは２４０）はその上に接触パッド（例えば、２３６あるいは２５６）を形成している。ハウジングは、第一の方向（例えば、２２２）で、ハウジング（例えば、２７０）から延在している第二のハウジングタブ（例えば、２８０あるいは３２０）と、第二のハウジングタブ（例えば、２８０あるいは３２０）の縁部（例えば、２９０あるいは３３０）に沿って第一の方向（例えば、２２２）に延在し、かつ第二のハウジングタブ（例えば、２８０あるいは３２０）に対して概ね直角に延在している第二のキー止め突起（例えば、２９８あるいは２３８）とを含むことが好ましく、前記第二のハウジングタブ（例えば、２８０あるいは３２０）は第二の回路盤タブ（例えば、２２０あるいは２４０）に対して概ね平行で、かつ隣接している。
【００４２】
ハウジングタブ（例えば、２８０あるいは３２０）と電鍵操作用突起（例えば、２９８または３３８）とはハウジング（例えば、２７０）から概ねＬ字形突起を形成するように隣接することが好ましい。回路盤タブ（例えば、２２０あるいは２４０）は第一の方向（例えば、２２２）に延在する第一の縁部（例えば、２３０あるいは２５０）と、反対側の第二の縁部（例えば、２３２あるいは２５２）とを含み、電鍵操作用突起（例えば、２９８あるいは３３８）は第一の縁部（例えば、２３０あるいは２５０）に隣接しており、ハウジング（例えば、２７０）は第二の縁部（例えば、２３２あるいは２５２）に隣接して第一の方向（例えば、２２２）に延在しているチャンネル（例えば、３４２あるいは３４６）を画成している。また、好適実施例において、回路盤タブ（例えば、２２０あるいは２４０）がハウジング（例えば、２７０）によって画成されているスロット（例えば、２７４あるいは２７６）を貫通する。そしてスロット（例えば、２７４あるいは２７６）はウインドウである。
【００４３】
好適実施例において、回路盤タブ（例えば、２２０あるいは２４０）は第一の方向（例えば、２２２）に延在する第一の縁部（例えば、２３０あるいは２５０）と、第一の方向（例えば、２２２）に延在する反対側の第二の縁部（例えば、２３２あるいは２５２）と、第一の縁部（例えば、２３０あるいは２５０）と第二の縁部（例えば、２３２あるいは２５２）とを接合して回路盤タブ（例えば、２２０あるいは２４０）の終端を形成する第三の縁部（例えば、２３４あるいは２５４）とを含み、ハウジングタブ（例えば、２８０あるいは３２０）が第一の方向（例えば、２２２）に延在する第一の縁部（例えば、２９０あるいは３３０）と、第一の方向（例えば、２２２）に延在する反対側の第二の縁部（例えば、２９２あるいは３３２）と、第一の縁部（例えば、２９０あるいは３３０）と、第二の縁部（例えば、２９２あるいは３３２）とを接合してハウジングタブ（例えば、２８０あるいは３２０）の終端を形成する第三の縁部（例えば、２９４あるいは３３４）とを含み、第一の縁部（例えば、２２０あるいは２５０）がハウジングタブ（例えば、２８０あるいは３２０）の第一の縁部（例えば、２９０あるいは３３０）に隣接しており、回路盤タブ（例えば、２２０あるいは２４０）の第二の縁部（例えば、２３２あるいは２５２）がハウジングタブ（例えば、２８０あるいは３２０）の第二の縁部（例えば、２９２あるいは３３２）に隣接しており、回路盤タブ（例えば、２２０あるいは２４０）の第三の縁部（例えば、２３４あるいは２５４）がハウジングタブ（例えば、２８０あるいは３２０）の第三の縁部（例えば、２９４あるいは３３４）に隣接している。
【００４４】
ハウジング（例えば、２７０）はまた、該ハウジング（例えば、２７０）を回路盤（例えば、２１２）に固定するために該回路盤（例えば、２１２）のくぼみ（例えば、３５４あるいは４１４）と適合する一体の突起（例えば、３５２あるいは４１２）を含みうる。代替的に、コネクタ（例えば、２１０）は、回路盤（例えば、２１２）とハウジング（例えば、２７０）とを貫通して該ハウジング（例えば、２７０）を該回路盤（例えば、２１２）に固定する固定具（例えば、５１６）を含みうる。
【００４５】
換言すれば、本発明の実施例は回転可能なディスク（例えば、１０８）と、ディスクドライブ回路盤（例えば、２１２）と、回路盤（例えば、２１２）をディスクドライブ（例えば、１００）の外部の装置に固定するためのコネクタ（例えば、２１０）とを含むディスクドライブ（例えば、１００）として要約しうる。コネクタ（例えば、２１０）は、回路盤（例えば、２１２）の一部を形成し、第一の方向（例えば、２２２）に該回路盤（例えば、２１２）から延在する概ね長方形の回路盤タブを含む。接触タブ（例えば、２３６あるいは２５６）が回路盤タブ（例えば、２２０あるいは２４０）に形成されている。コネクタ（例えば、２１０）はまた、回路盤（例えば、２１２）に装着されたハウジング（例えば、２７０）を含む。ハウジング（例えば、２７０）は第一の方向（例えば、２２２）でハウジング（例えば、２７０）から延在するハウジングタブ（例えば、２８０あるいは３２０）を含み、ハウジングタブ（例えば、２８０あるいは３２０）は回路盤タブ（例えば、２２０あるいは２４０）に対して概ね平行で、かつそれに当接しており、そのためハウジングタブ（例えば、２８０あるいは３２０）と回路盤タブ（例えば、２２０あるいは２４０）とが一緒になって接続タブ（例えば、２９９あるいは３３９）を形成する。
【００４６】
コネクタ（例えば、２１０）は更に回路盤（例えば、２１２）の一部を形成し、該回路盤（例えば、２１２）から第一の方向（例えば、２２２）に延在する第二の概ね長方形の回路盤タブを含みうる。接触パッド（例えば、２３６あるいは２５６）が第二の回路盤タブ（例えば、２２０あるいは２４０）に形成されることが好ましい。更に、ハウジング（例えば、２７０）は、第一の方向（例えば、２２２）にハウジングから延在している第二のハウジングタブ（例えば、２８０あるいは３２０）を含むことが好ましく、第二の回路盤タブ（例えば、２８０あるいは３２０）は、該第二のハウジングタブ（例えば、２８０あるいは３２０）と第二の回路盤タブ（例えば、２２０あるいは２４０）とが一緒になって第二の接続タブ（例えば、２９９あるいは３３９）を形成するように第二の回路盤タブ（例えば、２２０あるいは２４０）に対して概ね平行で、かつそれに当接している。さらに、ハウジング（例えば、２７０）は、第一のハウジングタブ（例えば、２８０あるいは３２０）の縁部（例えば、２９０あるいは３３０）に沿って延び、前述の第一のハウジングタブ（例えば、２８０あるいは３２０）に対して概ね直角である第一の電鍵操作用突起（例えば、２９８あるいは３３８）を更に含むことが好ましい。ハウジング（例えば、２７０）は更に、第二のハウジングタブ（例えば、２８０あるいは３２０）の縁部（例えば、２９０あるいは３３０）に沿って第一の方向（例えば、２２２）に延び、第二のハウジングタブ（例えば、２８０あるいは３２０）に対して概ね直角である第二の電鍵操作用突起（例えば、２９８あるいは３３８）を含みうる。
【００４７】
更に換言すれば、本発明の実施例はスピンドルモータ（例えば、１０６）で回転するように装着されたディスク（例えば、１０８）を有するディスクドライブ（例えば、１００）である。ディスクドライブはプリント回路盤（例えば、２１２）とプリント回路盤（例えば、２１２）をディスクドライブ（例えば、１００）の外部の装置に該回路盤（例えば、２１２）を電気的および機械的に接続する手段（例えば、２１０）とを含む。前記接続のための手段はプリント回路盤のタブ（例えば、２１２）に形成された導電性の接触パッド（例えば、２３６あるいは２５６）と、プリント回路盤（例えば、２１２）に固定され、ソケットコネクタ（例えば、３６０あるいは３８０）のスロット（例えば、３６６あるいは３８６）内に接触パッド（例えば、２３６あるいは２５６）を位置決めする手段（例えば、２７０）とを含むことが好ましい。
【００４８】
本発明は前述した目的や利点並びに本来の目的や利点を達成するようにされていることは明らかである。本開示のために実施例を説明してきたが、本発明の範囲内で種々の変更や修正を行うことができる。例えば、キー止め突起は省略しうる。そのような突起はキー止め（すなわち、適合する部材間の正確な方向を保証する）ためには有用であるが、当該技術分野の専門家としての使用者はソケットコネクタを適合位置へ滑り込ませる前に正確な方向を決めることができる。当該技術分野の専門家には容易に考えられる多くのその他の変更が可能であり、それは本発明の範囲に包含され、特許請求の範囲において定義されている。
【図面の簡単な説明】
【００４９】
【図１】主要な内部要素を示す、本発明の実施例を組み込んだディスクドライブの平面図である。
【図２】本発明の実施例によるコネクタの破断した斜視図である。
【図３】図２に示すコネクタの斜視図である。
【図４】図３に示すコネクタを含み、更にソケットコネクタを含むインタフェースの部分的に破断された斜視図である。
【図５】本発明の代替実施例によるコネクタの破断した斜視図である。
【図６】本発明の代替実施例によるコネクタの破断した斜視図である。
【図７】図６に示すコネクタの斜視図である。
【図１】
2005521183.tif 000003
【図２】
2005521183.tif 000004
【図３】
2005521183.tif 000005
【図４】
2005521183.tif 000006
【図５】
2005521183.tif 000007
【図６】
2005521183.tif 000008
【図７】
2005521183.tif 000009
【国際調査報告】
2005521183.tif 000010
2005521183.tif 000011